(57)【要約】【課題】特に高級食材を使用したおにぎりが、ふんわり感を維持しつつ包装することができるようにした米飯加工食品の包装体を提供する。【解決手段】２枚の内フィルム２０，２０の重ね合わされている内側端２１，２１の両端２１ａ，２１ｂに切欠部２３，２３が設けられ、引き裂き方向を規制する一対の規制部材１３，１３が外フィルム１０の一方の端１１ａから他方の端１１ｂまで備えられ、前記内フィルム２０，２０がおにぎり２に接合するように外フィルム１０と内フィルム２０，２０とが二つ折りにされた状態で、該折り返された部分を除いて接合している内フィルム２０，２０の三方の周縁部２２，２２および切欠部２３，２３で接合している外フィルム１０の周縁部１２がシールされ、該内フィルム２０，２０を介して接合している外フィルム１０の両端１１ａ，１１ｂで、かつ前記一対の規制部材１３，１３間にノッチ１４，１４が形成されている。【選択図】  図１
2004261056.tif 000002
【特許請求の範囲】
【請求項１】
外フィルムと、該外フィルムの両端を結ぶライン上で内側端同士が重なり合う２枚の内フィルムとがシート状食品を介して重ね合わされ、外フィルムと内フィルムの周縁部がシールされている米飯加工食品の包装体であって、
前記外フィルムが前記ラインと直交する方向へ引き裂かれないようにする一対の規制部材が前記外フィルムの一端から他端まで備えられ、該一対の規制部材間で、かつ外フィルムの両端にノッチが形成され、さらに、前記内フィルムの重なり合っている内側端の両端に切欠部が設けられ、前記内フィルムが塊状または棒状の米飯加工食品に接合するように外フィルムと内フィルムとが二つ折りにされた状態で、該折り返された部分および切欠部を除いて接合している内フィルムの三方の周縁部同士がシールされ、かつ内フィルムに切欠部が設けられることによって接合している外フィルムの周縁部同士がシールされていることを特徴とする米飯加工食品の包装体。
【請求項２】
前記外フィルムは、内面側に配置されたプラスチック材と、外面側に配置された紙質材とを接合一体化した複合材であることを特徴とする請求項１に記載の米飯加工食品の包装体。
【請求項３】
前記ノッチは、前記外フィルムの各端に２箇所ずつ形成されていることを特徴とする請求項１または２に記載の米飯加工食品の包装体。
【請求項４】
前記一対の規制部材は、その間隔が外フィルムの各端側よりも折り返される中間部側がワイドになるように備えられていることを特徴とする請求項３に記載の米飯加工食品の包装体。
【請求項５】
前記外フィルムがシールされた周縁部は、内フィルムがシールされた周縁部よりも弱い貼着力とされていることを特徴とする請求項３または４に記載の米飯加工食品の包装体。
【発明の詳細な説明】
【０００１】
【発明の属する技術分野】
本発明は、例えば、シート状の海苔のようなシート状食品と、三角おにぎりのような米飯加工食品とを分離した状態で包装する米飯加工食品の包装体に関し、特に、高級食材によって調理され、ふんわりと柔らかく握られた米飯加工食品を包装するのに好適な米飯加工食品の包装体に関する。
【０００２】
【従来の技術】
コンビニエンスストアなどで販売されている海苔付きおにぎりは、搬送中や陳列中などにおいて、おにぎりの水分によって海苔が湿気ることがないようにするため、おにぎりと海苔とを別々に収納する包装体によって包装されている。
【０００３】
この包装体は図１２に示すように、外フィルム１１０と２枚の内フィルム１２０，１２０とがシート状の海苔１を挟むようにしたものである。外フィルム１１０は、例えば三角形に形成されたおにぎり２を収納できる大きさの長方形状に形成されている。外フィルム１１０の両端の中心部１１１，１１１を結ぶセンターライン上には、カットテープ１１２が貼着され、このカットテープ１１２を引っ張ることにより、外フィルム１１０が二分割できるようにされている。
【０００４】
他方、２枚の内フィルム１２０，１２０は、外フィルム１１０のセンターライン上で、内側端１２１，１２１同士が重なり合い、幅方向に分離できるようにされている。このような外フィルム１１０と内フィルム１２０，１２０とは、その間に海苔１を挟んだ状態で、両端の中心部１１１，１２２を除いた周縁部１１３，１２３が、例えば熱によってシールされている。
【０００５】
このような包装体は、内フィルム１２０，１２０上におにぎり２が載せられ、両フィルム１１０，１２０，１２０と海苔１がおにぎり２の形状に即して折り曲げられ、おにぎり２を包み込む。そして、外フィルム１１０が露出した状態に重なり合った両角部を含む領域に、商品情報などを表示したラベル（図示せず）が貼着される。そして、カットテープ１１２を引っ張ると外フィルム１１０が二分割され、さらに外フィルム１１０と内フィルム１２０，１２０とを幅方向に引っ張ると、各内フィルム１２０，１２０が海苔１とおにぎり２との間から引き抜かれ、海苔１がおにぎり２を包んだ状態となって食することができる。
【０００６】
なお、内側端で重なり合っている内フィルムが、自動包装ラインの所定位置に搬送される工程において、バラバラにならないようにするため、内フィルムの内側端の両端部が外フィルムの周縁部に熱溶着によって一体に接合された包装体が特許第２９９００６４号明細書に開示されている。
【０００７】
【特許文献１】
特許第２９９００６４号明細書
【０００８】
【発明が解決しようとする課題】
ところで、従来のおにぎり２は、ご飯が型に押し込められて成形され、比較的硬く握られている。したがって、特許第２９９００６４号明細書に開示された包装体を含め、従来の米飯加工食品の包装体は、外フィルム１１０と内フィルム１２０，１２０とがおにぎり２の形状に即して折り曲げられ、包装されている。
【０００９】
しかし、近年、普及しつつある高級食材を使用したおにぎり２は、ふんわりと柔らかく握られているため、従来のように包装体をおにぎり２の形状に即して折り曲げることができない、あるいは折り曲げようとすると、おにぎり２が硬くなって包装され、品質が損なわれてしまう。さらに、高級食材を使用したおにぎり２が従来と同じ包装材で包装されていると、一般的な硬く握られたおにぎり２と外見上、区別することができない。
【００１０】
そこで、本発明は、特に高級食材を使用して柔らかく握られたおにぎりが、ふんわり感を維持しつつ包装することができるようにした米飯加工食品の包装体を提供することを課題とする。
【００１１】
【課題を解決するための手段】
本発明に係る米飯加工食品の包装体は、外フィルムと、該外フィルムの両端を結ぶライン上で内側端同士が重なり合う２枚の内フィルムとがシート状食品を介して重ね合わされ、外フィルムと内フィルムの周縁部がシールされている米飯加工食品の包装体であって、前記外フィルムが前記ラインと直交する方向へ引き裂かれないようにする一対の規制部材が前記外フィルムの一端から他端まで備えられ、該一対の規制部材間で、かつ外フィルムの両端にノッチが形成され、さらに、前記内フィルムの重なり合っている内側端の両端に切欠部が設けられ、前記内フィルムが塊状または棒状の米飯加工食品に接合するように外フィルムと内フィルムとが二つ折りにされた状態で、該折り返された部分および切欠部を除いて接合している内フィルムの三方の周縁部同士がシールされ、かつ内フィルムに切欠部が設けられることによって接合している外フィルムの周縁部同士がシールされていることを特徴としている。
【００１２】
この米飯加工食品の包装体によれば、内フィルムが塊状または棒状の米飯加工食品に接合するように外フィルムと内フィルムが二つ折りにされ、該折り返された部分および切欠部を除いて接合している内フィルムの三方の周縁部同士がシールされ、内フィルムに切欠部が設けられることによって接合している外フィルムの周縁部同士がシールされることにより、米飯加工食品は余裕をもって収納された状態に包装され、ふんわりとした柔らかさが維持される。
【００１３】
そして、二つ折りにされてシールされた内フィルムの角部および重なり合っている外フィルムの角部とを摘んで、その角部が離隔する幅方向、すなわち外フィルムの両端を結ぶラインと直交する方向に引っ張ることにより、外フィルムがノッチから折り返された部分の方へ引き裂かれる。外フィルムには、引き裂き方向の規制部材が備えられているため、ノッチからシールされた両側の周縁部の方へ引き裂かれることがなく、確実に二つ折りされた部分の方へ引き裂かれ、開封することができる。
【００１４】
また、２枚の内フィルムが重なり合っている内側端の両端に切欠部が設けられていることにより、２枚の内フィルムの内側端の両端は外フィルムにシールされないため、２枚の内フィルムは、角部が離隔する幅方向に引っ張られると、引き裂かれる各外フィルムと一緒に引き離され、シート状食品と米飯加工食品との間から引き抜かれる。
【００１５】
また、前記米飯加工食品の包装体において、前記外フィルムは、内面側に配置されたプラスチック材と、外面側に配置された紙質材とを接合一体化した複合材であってもよい。この米飯加工食品の包装体によれば、外側の紙質材によって、高級感が発揮されるだけでなく、剛性が大きくなり、包装された米飯加工食品が潰れにくいようにすることができる。
【００１６】
また、前記米飯加工食品の包装体において、前記ノッチは、前記外フィルムの各端に２箇所ずつ形成されていることが好ましい。この米飯加工食品の包装体によれば、ノッチが外フィルムの各端に２箇所ずつ間隔をあけて形成されることにより、外フィルムは三分割され、中間の外フィルムを摘みながら衛生的に食することができる。
【００１７】
また、前記米飯加工食品の包装体において、前記一対の規制部材は、その間隔が外フィルムの各端側よりも折り返される中間部側がワイドになるように備えられていることが好ましい。この米飯加工食品の包装体によれば、三分割されたときの中間の外フィルムは、折り返される中間部側が各端側よりもワイドに引き裂かれることとなり、掴みやすくすることができる。
【００１８】
また、前記米飯加工食品の包装体において、前記外フィルムがシールされた周縁部は、内フィルムがシールされた周縁部よりも弱い貼着力とされていることが好ましい。この米飯加工食品の包装体によれば、外フィルムが三分割されたときに、切欠部でシールされた外フィルムの周縁部を容易に剥すことができる。
【００１９】
【発明の実施の形態】
本発明に係る米飯加工食品の包装体の一実施形態について図１から図６を参照しながら説明する。本実施形態の米飯加工食品の包装体は、従来と同様、三角おにぎりのような塊状の米飯加工食品（以下、「おにぎり」という。）２を収納できる大きさの長方形状の外フィルム１０と、該外フィルム１０の両端１１ａ，１１ｂを結ぶライン上で内側端２１，２１が重なり合う２枚の内フィルム２０，２０とが、シート状の海苔のようなシート状食品（以下、「海苔」という。）１を介して重ね合わされ、外フィルム１０の周縁部１２と内フィルム２０，２０の周縁部２２，２２とがシールされている。
【００２０】
内フィルム２０，２０の内側端２１，２１は通常、外フィルム１０の両端１１ａ，１１ｂの中心部を結ぶセンターライン上で重なり合うようにされるが、センターラインからずれたライン上で重なり合うようにしてもよい。
【００２１】
そして、内フィルム２０，２０の重なり合っている内側端２１，２１の両端２１ａ，２１ｂには、２枚の内フィルム２０，２０が外側に引っ張られたときに、分離できるようにするための切欠部２３，２３が設けられている。この切欠部２３，２３は、後述するように後工程において、内フィルム２０，２０の周縁部２２，２２をシールしたときに、内フィルム２０，２０の重なり合っている内側端２１，２１の両端２１ａ，２１ｂ同士および該両端２１ａ，２１ｂと外フィルム１０とが一体化されないようにして、２枚の内フィルム２０，２０が引き離れるようにするためのもので、その形状は、四角形、三角形あるいは半円形など特定するものでない。
【００２２】
このような外フィルム１０および内フィルム２０，２０は、食品包装用のプラスチックフィルムであれば特定するものではないが、低コストで、通気性の低いポリプロピレンなどを使用することが好ましい。また、内フィルム２０，２０の重なり合っている各内側端２１，２１は、図示しないが、内フィルム２０，２０を外側に引っ張ったときに、おにぎり２が割れないようにするため、外向きに折り返されていてもよい。
【００２３】
また、外フィルム１０は、内面側に配置したプラスチック材と、外面側に配置した紙質材とを接合一体化した複合材としてもよい。プラスチック材と紙質材とは、例えば熱によって接着することが好ましいが、接着剤によって接着してもよい。いずれにしても、外側の紙質材によって、高級感が発揮されるだけでなく、剛性が大きくなることから、包装されたおにぎり２が潰れにくいようにすることができる。そして、プラスチック材は、前記のようにポリプロピレンのほかポリエチレンなどを使用することができ、紙質材は、ヒートシール性を有しているレーヨン紙などを使用することにより、熱溶着を容易かつ確実に行うことができる。
【００２４】
そして、本実施形態の米飯加工食品の包装体は、引き裂き方向を規制する一対の規制部材１３，１３が外フィルム１０の一方の端１１ａから他方の端１１ｂまで備えられ、該外フィルム１０の両端１１ａ，１１ｂで、かつ前記一対の規制部材１３，１３間にノッチ１４，１４が形成されていることを特徴としている。ノッチ１４，１４は、外フィルム１０の両端１１ａ，１１ｂのエッジに形成されていなければならないが、規制部材１３，１３の各端部は外フィルム１０の両端１１ａ，１１ｂのエッジだけでなく、エッジから若干、内側に設けられていてもよい。
【００２５】
ノッチ１４は、外フィルム１０が引き裂かれやすいようにするためのもので、外フィルム１０の両角部を離隔する幅方向、すなわち前記ラインと直交する方向の力が外フィルム１０に加えられたときに、ノッチ１４を起点に外フィルム１０が引き裂かれる。そして、図１に示すようにノッチ１４が外フィルム１０の各端１１ａ，１１ｂの中心に１箇所のみ形成されると、外フィルム１０は二分割され、図２に示すように各端１１ａ，１１ｂに２箇所ずつ形成されると、外フィルム１０は三分割される。
【００２６】
このようなノッチ１４は、直線状の切込み、Ｖ字形の切込み、Ｕ字形の切込みなど形状を特定することなく、また、後工程において、内フィルム２０，２０を三方シールした後に外フィルム１０に形成することにより、各端１１ａ，１１ｂの重なり合った位置に容易かつ確実に形成することができる。
【００２７】
そして、ノッチ１４が内フィルム２０にも形成されると、内フィルム２０もノッチ１４の部位から引き裂かれ、２枚の内フィルム２０，２０を外側に引っ張ったときに、内フィルム２０，２０がおにぎり２と海苔１との間に残留することもあり得る。しかし、内フィルム２０には切欠部２３が設けられているため、ノッチ１４は外フィルム１０にのみ形成することができる。換言すると、ノッチ１４が１箇所にのみ形成されるとき、およびノッチ１４，１４が２箇所に形成されるときの両方とも、切欠部２３，２３は内フィルム２０，２０の内側端２１，２１が重なっている幅あるいは、それ以上に設けられる。
【００２８】
一方、外フィルム１０がノッチ１４から所望の方向に引き裂かれるようにするための規制部材１３は、引っ張られても切断しない強度を有している帯状のプラスチックフィルムを外フィルム１０に貼着したもの、あるいは、一定の方向に引き裂かれないようにする一軸延伸プラスチックによって構成してもよい。
【００２９】
そして、ノッチ１４を２箇所に設ける場合は、三分割されたときの中間の外フィルム１０の折り返される中間部１５側が広い間隔である方が掴みやすい。そこで、２本の帯状の規制部材１３，１３は、図２に示すように各端１１ａ，１１ｂ側の幅が狭く、中間部１５側の幅がワイドになるようにレイアウトされている。このように２本の規制部材１３，１３の各端１１ａ，１１ｂ側の幅を狭くするのは、外フィルム１０と内フィルム２０，２０とは、内フィルム２０，２０に設けられた切欠部２３，２３を除いてシールされているため、外フィルム１０と内フィルム２０，２０とが強くシールされるべく、切欠部２３，２３はできるだけ小さく設け、ノッチ１４，１４の間隔を短く形成することがより好ましいからである。
【００３０】
ただし、切欠部２３，２３を幅方向に大きく形成することができる場合などにおいては、２本の帯状の規制部材１３，１３は、全長にわたって平行なワイドにレイアウトすることもできる。また、ノッチ１４を２箇所に設ける場合は、図２ないし図５には示さないが、それぞれ規制部材１３に対してもう１本の規制部材１３を設けるようにするのが好ましい。この場合、各ノッチ１４は間隔の狭い２本の規制部材１３，１３に挟まれることとなる。
【００３１】
以上のように構成された本実施形態の米飯加工食品の包装体によって、おにぎり２を包装するには、おにぎり２の底面を内フィルム２０，２０の中間部に配置し、おにぎり２の正面と背面とが内フィルム２０，２０に接合するように外フィルム１０と内フィルム２０，２０とを二つ折りにし、図３に示すように該折り返された部分を除いた内フィルム２０，２０の三方の周縁部２２，２２および切欠部２３，２３で接合している外フィルム１０の周縁部１２，１２を接合し、この接合した周縁部２２，２２，１２，１２を例えば熱によってシールする。
【００３２】
そして、シールされた外フィルム１０の周縁部１２，１２は、剥しやすいようにするため、シールされた内フィルム２０，２０の周縁部の貼着力よりも弱くされることが好ましい。例えば、外フィルム１０が接合する周縁部１２，１２には、パートコートなどを塗布することによって貼着力を弱くすることができる。パートコートなどは、外フィルム１０，１０の周縁部１２，１２に塗布すれば十分であるが、製造上の制約などの理由から、両側に連続している内フィルム２０，２０の周縁部２２，２２に塗布してもよい。
【００３３】
そして、内フィルム２０，２０の三方の周縁部２２，２２および切欠部２３，２３で接合している外フィルム１０の周縁部１２，１２をシールした後に、一対の規制部材１３，１３間の外フィルム１０の両端１１ａ，１１ｂにノッチ１４，１４を形成する。前記のように内フィルム２０，２０の内側端２１，２１の両端２１ａ，２１ｂには、切欠部２３，２３が設けられているため、内フィルム２０，２０にはノッチ１４，１４が形成されることはない。さらに、この段階でノッチ１４，１４を形成することにより、内フィルム２０，２０の周縁部２２，２２が位置ずれしてシールされても、外フィルム１０，１０の端１１ａ，１１ｂの重なった位置にノッチ１４，１４を形成することができる。
【００３４】
このようにして、おにぎり２は、この包装体に余裕をもって包装され、柔らかく握られたふんわり感を持続することができる。しかも、おにぎり２と海苔１との間には、内フィルム２０，２０が介在しているため、海苔１は湿気ることなく運搬ないし陳列される。
【００３５】
そして、おにぎり２を食するには図４に示すように、三方シールされた包装体の角部Ａ，Ａを摘み、その角部Ａ，Ａが離隔する方向に引き離す。すると、外フィルム１０は、ノッチ１４，１４から規制部材１３，１３に沿って引き裂かれ、図５に示すように三分割される。また、２枚の内フィルム２０，２０の内側端２１，２１の両端２１ａ，２１ｂに切欠部２３，２３が設けられ、該両端２１ａ，２１ｂはシールされていないことから、２枚の内フィルム２０，２０は引き離され、海苔１とおにぎり２との間から引き抜かれる。
【００３６】
そして、ノッチ１４，１４は、外フィルム１０にのみ形成され、内フィルム２０，２０には形成されていないため、内フィルム２０，２０は引き裂かれることがない。また、２枚の内フィルム２０，２０の重なり合っている内側端２１，２１の両端２１ａ，２１ｂは切欠部２３，２３が設けられ、シールされていないため、２枚の内フィルム２０，２０は海苔１とおにぎり２との間に残留することなく引き抜かれる。
【００３７】
そして、両端１１ａ，１１ｂ側がシールされている中間の外フィルム１０は、図６の仮想線に示すように、海苔１に包まれたおにぎり２を囲んだ状態となっている。そこで、シールされている部分Ｂに指を挿入し、跳ね上げることにより、シールを剥す。当該部分Ｂにはパートコートなどが塗布され、貼着力が弱くなっていることから、シールを容易に剥すことができる。そして、四角形の海苔１の角部が、三角形のおにぎり２から突出しているため、好みに応じて、突出している海苔１を柔らかく包み、また片手で中間の外フィルム１０を摘みながら衛生的に食することができる。
【００３８】
本発明は、前記発明の実施形態に限定することなく、特許請求の範囲に記載した技術的事項の範囲内において種々、変更することができる。前記の発明の実施形態にあっては、外フィルム１０、内フィルム２０，２０および海苔１が長方形に形成され、長方形の海苔１の角部が三角形のおにぎり２に二重に重ね合わされる。そこで、海苔１の使用量を節約するべく、図７および図８に示すように海苔１は六角形としてもよい。
【００３９】
この場合、外フィルム１０および内フィルム２０，２０は、図７に示すように相似形の六角形としてもよいし、図８に示すように六角形の両端部に突出部１６，２６を設けるようにしてもよい。図７に示すように、外フィルム１０および内フィルム２０，２０が六角形であると、外観をシンプルにすることができる。また、図８に示すように、突出部１６，２６が設けられていると、該突出部１６，２６を摘んで開封を容易にすることができる。
【００４０】
また、図７および図８においては、ノッチ１４，１４が外フィルム１０の各端１１ａ，１１ｂに１箇所ずつ形成され、２本の規制部材１３，１３が備えられた米飯加工食品の包装体を示したが、ノッチ１４，１４は外フィルム１０の各端１１ａ，１１ｂに２箇所ずつ形成し、２本一組の規制部材１３，１３を二組備えることができることはいうまでもない。他の構成は、前記の実施形態と同じであるため、その説明は省略する。
【００４１】
さらに、本発明の米飯加工食品の包装体は、巻き寿しを包装することもできる。この場合の米飯加工食品の包装体は、図９に示すように外フィルム１０の両端１１ａ，１１ｂを結ぶラインに直交して配置された棒状の米飯加工食品２を包装するべく、外フィルム１０は、このライン方向の辺よりもラインと直交する方向の辺が長く形成されている。
【００４２】
外フィルム１０には、前記のように一対の規制部材１３，１３が、外フィルム１０の両端１１ａ，１１ｂの例えば中心を結ぶセンターライン上を一端１１ａから他端１１ｂまで備えられ、各端１１ａ，１１ｂにノッチ１４，１４が形成されている。ノッチ１４、１４は、各端１１ａ，１１ｂの規制部材１３，１３間に２箇所ずつ形成され、一対の規制部材１３、１３は、中間部１５側がワイドになるようにレイアウトされてもよい。また、２枚の内フィルム２０，２０は、ほぼ正方形とされ、重なり合う内側端２１，２１の両端２１ａ，２１ｂに切欠部２３，２３が形成されている。
【００４３】
そして、外フィルム１０よりも一回り小さな海苔１が、外フィルム１０と２枚の内フィルム２０，２０の間に挟まれ、外フィルム１０の周縁部１２と、２枚の内フィルム２０，２０の周縁部２２，２２とがシールされ、前記センターラインと直交方向で中心を通過する中間部１５を折り目とし、外フィルム１０の周縁部１２と、２枚の内フィルム２０，２０が折り曲げられ、内フィルム２０，２０の周縁部２２，２２がシールされる。
【００４４】
ただし、２枚の内フィルム２０，２０は、前記の実施形態と同様、切欠部２３，２３が形成されていることにより、内側端２１，２２１の両端２１ａ，２１ｂは、外フィルム１０にシールされず、引き離されるようになっている。
【００４５】
そして、内フィルム２０，２０の幅方向の周縁部２２，２２は、図１０に示すように側面視でＩ字形にシールするほか、図１１に示すように側面視で逆Ｙ字形にシールすることもできる。Ｉ字形のシールは、製造が容易という利点があり、逆Ｙ字形のシールは、起立した姿勢で展示することができるという利点がある。起立した姿勢の場合は、外フィルム１０に描かれた商品名などを目立つようにすることができる。この実施形態の米飯加工食品の包装体の開封方法は、前記の実施形態と同じであるため、その説明は省略する。
【００４６】
【発明の効果】
本発明によれば、海苔のようなシート状食品を挟んだ外フィルムと内フィルムとが二つ折りにされ、折り返されている部分を除いた三方がシールされることにより、塊状または棒状の米飯加工食品を余裕をもって包装することができる。したがって、本発明に係る米飯加工食品の包装体に包装されたおにぎりや巻き寿しのような米飯加工食品は、柔らかく握られたふんわり感を味わうことができる。
【図面の簡単な説明】
【図１】本発明に係る米飯加工食品の包装体の実施形態を示す分解斜視図
【図２】本発明に係る米飯加工食品の包装体の図１と異なる実施形態を示す分解斜視図
【図３】本発明に係る米飯加工食品の包装体の実施形態を示す斜視図
【図４】本発明に係る米飯加工食品の包装体の実施形態を示す正面図
【図５】本発明に係る米飯加工食品の包装体を開封している途中の実施形態を示す正面図
【図６】本発明に係る米飯加工食品の包装体を開封した後の実施形態を示す斜視図
【図７】本発明に係る米飯加工食品の包装体の前記と異なる実施形態を示す平面図
【図８】本発明に係る米飯加工食品の包装体の前記と異なる実施形態を示す平面図
【図９】本発明に係る米飯加工食品の包装体の前記と異なる実施形態を示す分解斜視図
【図１０】本発明に係る米飯加工食品の包装体の図９における実施形態を示す斜視図
【図１１】本発明に係る米飯加工食品の包装体の図１０と異なる実施形態を示す斜視図
【図１２】従来の米飯加工食品の包装体の一例を示す分解斜視図
【符号の説明】
１……シート状食品（海苔）
２……米飯加工食品（おにぎり）
１０……外フィルム
１１ａ…端
１１ｂ…端
１２……周縁部
１３……規制部材
１４……ノッチ
１５……中間部
２０……内フィルム
２１……内側端
２１ａ…端
２１ｂ…端
２２……周縁部
２３……切欠部
【図１】
2004261056.tif 000003
【図２】
2004261056.tif 000004
【図３】
2004261056.tif 000005
【図４】
2004261056.tif 000006
【図５】
2004261056.tif 000007
【図６】
2004261056.tif 000008
【図７】
2004261056.tif 000009
【図８】
2004261056.tif 000010
【図９】
2004261056.tif 000011
【図１０】
2004261056.tif 000012
【図１１】
2004261056.tif 000013
【図１２】
2004261056.tif 000014